(57)【要約】【課題】ユーザが面倒な設定操作を行うことなく、ネットワークに接続されている端末の設置場所を把握することができるようにする。【解決手段】  端末管理部１３により管理されている対応関係を参照して、ネットワーク３に接続されている表示端末２−１〜２−３の中で、未だ端末名称が選択されていない表示端末２を特定し、その表示端末２に対して、コンテンツ生成部１２により生成されたコンテンツの表示指令を発行する表示指令発行部１５を設け、端末名称検知部１７が、表示指令発行部１５によりコンテンツの表示指令が発行された表示端末２で選択された端末名称を検知して、その端末名称を端末管理部１３に通知する。【選択図】図１
2014138243.tif 000002
【特許請求の範囲】
【請求項１】
１台以上の端末とサーバがネットワークに接続されているネットワークシステムにおいて、
上記サーバは、設置場所が関連付けられている端末名称の登録を受け付ける端末名称登録受付手段と、上記端末名称登録受付手段により登録が受け付けられた端末名称の一覧表を表すコンテンツを生成するコンテンツ生成手段と、上記ネットワークに接続されている端末と上記端末名称登録受付手段により登録が受け付けられた端末名称との対応関係を管理する端末管理手段と、上記端末管理手段により管理されている対応関係を参照して、上記ネットワークに接続されている端末の中で、未だ端末名称が選択されていない端末を特定し、上記端末に対して、上記コンテンツ生成手段により生成されたコンテンツの表示指令を発行する表示指令発行手段と、上記表示指令発行手段によりコンテンツの表示指令が発行された端末で選択された端末名称を検知して、上記端末名称を上記端末管理手段に通知する端末名称検知手段とを備え、
上記ネットワークに接続されている端末は、上記サーバの表示指令発行手段からコンテンツの表示指令が発行されると、上記コンテンツを表示するコンテンツ表示手段と、上記コンテンツ表示手段により表示されたコンテンツが表している端末名称の一覧表の中から、任意の端末名称の選択を受け付ける端末名称選択受付手段とを備えている
ことを特徴とするネットワークシステム。
【請求項２】
１台以上の端末とサーバがネットワークに接続されているネットワークシステムにおいて、
上記サーバは、設置場所が関連付けられている端末名称の登録を受け付けるとともに、上記端末名称に対応する操作の登録を受け付ける端末名称操作登録受付手段と、上記ネットワークに接続されている端末と上記端末名称操作登録受付手段により登録が受け付けられた端末名称との対応関係を管理する端末管理手段と、上記端末管理手段により管理されている対応関係を参照して、上記ネットワークに接続されている端末の中で、未だ端末名称が選択されていない端末を特定し、上記端末に対して、端末名称の選択指令を発行する選択指令発行手段と、上記選択指令発行手段により端末名称の選択指令が発行された端末で行われた操作を検知し、上記操作が上記端末名称操作登録受付手段により登録が受け付けられている操作であれば、上記操作に対応する端末名称を上記端末管理手段に通知する端末操作検知手段とを備え、
上記ネットワークに接続されている端末は、上記サーバの選択指令発行手段から端末名称の選択指令が発行されると、予め設定されている複数の操作の中から、任意の操作の選択を受け付ける操作選択受付手段とを備えている
ことを特徴とするネットワークシステム。
【請求項３】
サーバの端末管理手段は、ネットワークに接続されている端末を示す端末情報として、上記端末のＩＰアドレスを管理し、上記ＩＰアドレスが変更された場合には、管理しているＩＰアドレスを更新することを特徴とする請求項１または請求項２記載のネットワークシステム。
【請求項４】
設置場所が関連付けられている端末名称の登録を受け付ける端末名称登録受付手段と、
上記端末名称登録受付手段により登録が受け付けられた端末名称の一覧表を表すコンテンツを生成するコンテンツ生成手段と、
ネットワークに接続されている端末と上記端末名称登録受付手段により登録が受け付けられた端末名称との対応関係を管理する端末管理手段と、
上記端末管理手段により管理されている対応関係を参照して、上記ネットワークに接続されている端末の中で、未だ端末名称が選択されていない端末を特定し、上記端末に対して、上記コンテンツ生成手段により生成されたコンテンツの表示指令を発行する表示指令発行手段と、
上記表示指令発行手段によりコンテンツの表示指令が発行された端末で選択された端末名称を検知して、上記端末名称を上記端末管理手段に通知する端末名称検知手段と
を備えたサーバ。
【請求項５】
設置場所が関連付けられている端末名称の登録を受け付けるとともに、上記端末名称に対応する操作の登録を受け付ける端末名称操作登録受付手段と、
ネットワークに接続されている端末と上記端末名称操作登録受付手段により登録が受け付けられた端末名称との対応関係を管理する端末管理手段と、
上記端末管理手段により管理されている対応関係を参照して、上記ネットワークに接続されている端末の中で、未だ端末名称が選択されていない端末を特定し、上記端末に対して、端末名称の選択指令を発行する選択指令発行手段と、
上記選択指令発行手段により端末名称の選択指令が発行された端末で行われた操作を検知し、上記操作が上記端末名称操作登録受付手段により登録が受け付けられている操作であれば、上記操作に対応する端末名称を上記端末管理手段に通知する端末操作検知手段と
を備えたサーバ。
【発明の詳細な説明】
【技術分野】
【０００１】
この発明は、ネットワークに接続されている端末を管理するネットワークシステム及びサーバに関するものである。
【背景技術】
【０００２】
以下の特許文献１には、ネットワーク機器（端末）の管理方法を明示しているネットワークシステムが開示されている。
このネットワークシステムでは、ネットワークに接続されているネットワーク機器の識別情報を管理しており、その識別情報を参照することで、ネットワークに接続されているネットワーク機器を特定できるようにしている。
しかし、ネットワーク機器の設置場所に関する情報は管理されていないため、ネットワーク機器が設置されている場所を把握することができない。
【０００３】
また、特許文献２には、ＩＰ端末の管理方法が開示されており、特許文献３には、端末識別番号の取得方法が開示されているが、特許文献１と同様に、ＩＰ端末等の設置場所に関する情報は管理されていないため、ＩＰ端末等が設置されている場所を把握することができない。
【先行技術文献】
【特許文献】
【０００４】
【特許文献１】特開２００２−１５７１７７号公報（段落番号［００１７］）
【特許文献２】特開２００５−３１１９２２号公報（段落番号［０００９］）
【特許文献３】特開平１１−１２７１７５号公報（段落番号［０００４］）
【発明の概要】
【発明が解決しようとする課題】
【０００５】
従来のネットワークシステムは以上のように構成されているので、ネットワークに接続されているネットワーク機器を特定することができるが、ネットワーク機器が設置されている場所を把握することができないなどの課題があった。
【０００６】
この発明は上記のような課題を解決するためになされたもので、ユーザが面倒な設定操作を行うことなく、ネットワークに接続されている端末の設置場所を把握することができるネットワークシステム及びサーバを得ることを目的とする。
【課題を解決するための手段】
【０００７】
この発明に係るネットワークシステムは、サーバが、設置場所が関連付けられている端末名称の登録を受け付ける端末名称登録受付手段と、端末名称登録受付手段により登録が受け付けられた端末名称の一覧表を表すコンテンツを生成するコンテンツ生成手段と、ネットワークに接続されている端末と端末名称登録受付手段により登録が受け付けられた端末名称との対応関係を管理する端末管理手段と、端末管理手段により管理されている対応関係を参照して、ネットワークに接続されている端末の中で、未だ端末名称が選択されていない端末を特定し、その端末に対して、コンテンツ生成手段により生成されたコンテンツの表示指令を発行する表示指令発行手段と、表示指令発行手段によりコンテンツの表示指令が発行された端末で選択された端末名称を検知して、その端末名称を端末管理手段に通知する端末名称検知手段とを備え、ネットワークに接続されている端末が、サーバの表示指令発行手段からコンテンツの表示指令が発行されると、そのコンテンツを表示するコンテンツ表示手段と、コンテンツ表示手段により表示されたコンテンツが表している端末名称の一覧表の中から、任意の端末名称の選択を受け付ける端末名称選択受付手段とを備えるようにしたものである。
【発明の効果】
【０００８】
この発明によれば、ネットワークに接続されている端末と端末名称登録受付手段により登録が受け付けられた設置場所が関連付けられている端末名称との対応関係を管理する端末管理手段と、端末管理手段により管理されている対応関係を参照して、ネットワークに接続されている端末の中で、未だ端末名称が選択されていない端末を特定し、その端末に対して、コンテンツ生成手段により生成されたコンテンツの表示指令を発行する表示指令発行手段とを設け、端末名称検知手段が、表示指令発行手段によりコンテンツの表示指令が発行された端末で選択された端末名称を検知して、その端末名称を端末管理手段に通知するように構成したので、ユーザが面倒な設定操作を行うことなく、サーバ側で、ネットワークに接続されている端末の設置場所を把握することができる効果がある。
【図面の簡単な説明】
【０００９】
【図１】この発明の実施の形態１によるネットワークシステムを示す構成図である。
【図２】この発明の実施の形態１によるネットワークシステムに適用されるサーバ１を示す構成図である。
【図３】この発明の実施の形態１によるネットワークシステムに適用される表示端末２−１〜２−３を示す構成図である。
【図４】サーバ１が端末名称の一覧表を表すコンテンツを生成する際の処理内容を示すフローチャートである。
【図５】サーバ１が端末名称未登録の表示端末２の端末情報を示す未登録端末テーブルを生成する際の処理内容を示すフローチャートである。
【図６】サーバ１が表示端末２と端末名称の対応関係を示す端末管理テーブルを生成する際の処理内容を示すフローチャートである。
【図７】端末名称テーブルの格納例を示す説明図である。
【図８】端末情報の一例を示す説明図である。
【図９】未登録端末テーブルの一例を示す説明図である。
【図１０】端末管理テーブルの一例を示す説明図である。
【図１１】この発明の実施の形態１による他のネットワークシステムを示す構成図である。
【図１２】この発明の実施の形態２によるネットワークシステムを示す構成図である。
【図１３】この発明の実施の形態２によるネットワークシステムに適用されるサーバ３１を示す構成図である。
【図１４】この発明の実施の形態２によるネットワークシステムに適用されるエアコン３２−１〜３２−３を示す構成図である。
【図１５】サーバ３１が端末名称未登録のエアコン３２の端末情報を示す未登録端末テーブルを生成する際の処理内容を示すフローチャートである。
【図１６】サーバ３１がエアコン３２と端末名称の対応関係を示す端末管理テーブルを生成する際の処理内容を示すフローチャートである。
【図１７】端末名称テーブルの格納例を示す説明図である。
【図１８】端末管理テーブルの一例を示す説明図である。
【図１９】端末名称テーブルの格納例を示す説明図である。
【発明を実施するための形態】
【００１０】
実施の形態１．
図１はこの発明の実施の形態１によるネットワークシステムを示す構成図である。
図１のネットワークシステムでは、３階建のビルの各階に表示端末２−１〜２−３が設置され、１階に設置されているサーバ１がネットワーク３を通じて表示端末２−１〜２−３と接続されている例を示している。
図１において、サーバ１はネットワーク３に接続されている表示端末２−１〜２−３の端末名称や設置場所を管理し、例えば、表示端末２−１〜２−３に対して、各種の情報を送信するなどの処理を実施する装置である。
【００１１】
表示端末２−１〜２−３は例えばサーバ１から送信された情報を表示する一方、ユーザの操作を受け付けて、その操作内容をサーバ１に通知するなどの処理を実施する。
ここでは、ネットワーク３に接続されている表示端末２の台数が３台である例を示しているが、これは一例に過ぎず、４台以上の表示端末２がネットワーク３に接続されていてもよい。
ルータ４は例えばＤＨＣＰ（Ｄｙｎａｍｉｃ  Ｈｏｓｔ  Ｃｏｎｆｉｇｕｒａｔｉｏｎ  Ｐｒｏｔｏｃｏｌ）と呼ばれるＩＰアドレス発行機能を備えており、同一の通信回線上の機器（ネットワーク３に接続されている表示端末２−１〜２−３）に対して、異なるＩＰアドレスを割り振る処理を実施する。
【００１２】
ここでは、ルータ４がネットワーク３に接続されている例を示しているが、ルータ４がネットワーク３に接続されている理由は、ＩＰアドレスを同一の通信回線上の機器に割り振る機能が、一般に普及しているブロードバンドルータに内包されており、多くは、このようなシステム構成になると想定しているためである。したがって、ネットワーク３としては、有線ＬＡＮや無線ＬＡＮによる構成を想定しているが、広義にはＩＰ接続を想定している。
なお、図１では、ルータ４がネットワーク３に接続されている例を示しているが、ルータ４の代わりに、スイッチングハブと呼ばれる通信機器をネットワーク３に接続して、スイッチングハブが通信回線を接続するようにしてもよい。この場合、サーバ１がＩＰアドレス発行機能を備えるようにしてもよい。
【００１３】
図２はこの発明の実施の形態１によるネットワークシステムに適用されるサーバ１を示す構成図である。
図１のネットワークシステムは、様々な用途のシステムに利用可能である。このため、図２のサーバ１では、個別のシステムの役割を果たすために必要な処理部の記載を割愛しており、本願発明に係る処理部だけを記載している。
図２において、端末名称登録受付部１１は例えばキーボード、マウス、タッチパネルやディスプレイなどのマンマシンインタフェースなどから構成されており、設置場所が関連付けられている端末名称（例えば、１階モニタ、２階モニタ、３階モニタ）の登録を受け付ける処理を実施する。なお、端末名称登録受付部１１は端末名称登録受付手段を構成している。
【００１４】
コンテンツ生成部１２は例えばＣＰＵを実装している半導体集積回路、あるいは、ワンチップマイコンなどから構成されており、端末名称登録受付部１１により登録が受け付けられた端末名称の一覧表を表すコンテンツを生成する処理を実施する。なお、コンテンツ生成部１２はコンテンツ生成手段を構成している。
端末管理部１３は例えばＣＰＵを実装している半導体集積回路、あるいは、ワンチップマイコンなどから構成されており、ネットワーク３に接続されている表示端末２−１〜２−３と端末名称登録受付部１１により登録が受け付けられた端末名称との対応関係を管理する処理を実施する。
対応関係格納部１４は例えばＲＡＭやハードディスクなどの記憶装置から構成されており、表示端末２−１〜２−３と端末名称の対応関係を示すテーブルなど、各種のテーブルを記憶している。
なお、端末管理部１３及び対応関係格納部１４から端末管理手段が構成されている。
【００１５】
表示指令発行部１５は例えばＣＰＵを実装している半導体集積回路、あるいは、ワンチップマイコンなどから構成されており、対応関係格納部１４により記憶されている対応関係を示すテーブルを参照して、ネットワーク３に接続されている表示端末２−１〜２−３の中で、未だ端末名称が選択されていない表示端末２を特定し、その表示端末２に対して、コンテンツ生成部１２により生成されたコンテンツの表示指令を発行する処理を実施する。
ネットワークインタフェース１６は例えばＬＡＮカードなどのネットワーク接続機器から構成されており、表示指令発行部１５により発行されたコンテンツの表示指令をネットワーク３を通じて当該表示端末２に通知する処理を実施する。
なお、表示指令発行部１５及びネットワークインタフェース１６から表示指令発行手段が構成されている。
【００１６】
端末名称検知部１７は例えばＣＰＵを実装している半導体集積回路、あるいは、ワンチップマイコンなどから構成されており、ネットワークインタフェース１６を通じて、表示指令発行部１５によりコンテンツの表示指令が発行された表示端末２で選択された端末名称を検知して、その端末名称を端末管理部１３に通知する処理を実施する。
なお、端末名称検知部１７及びネットワークインタフェース１６から端末名称検知手段が構成されている。
【００１７】
図２の例では、サーバ１の構成要素である端末名称登録受付部１１、コンテンツ生成部１２、端末管理部１３、対応関係格納部１４、表示指令発行部１５、ネットワークインタフェース１６及び端末名称検知部１７のそれぞれが専用のハードウェアで構成されているものを想定しているが、サーバ１がコンピュータで構成されていてもよい。
サーバ１がコンピュータで構成されている場合、対応関係格納部１４をコンピュータのメモリ上に構成するとともに、端末名称登録受付部１１、コンテンツ生成部１２、端末管理部１３、表示指令発行部１５、ネットワークインタフェース１６及び端末名称検知部１７の処理内容を記述しているプログラムをコンピュータのメモリに格納し、当該コンピュータのＣＰＵが当該メモリに格納されているプログラムを実行するようにすればよい。
【００１８】
図３はこの発明の実施の形態１によるネットワークシステムに適用される表示端末２−１〜２−３を示す構成図である。
図１のネットワークシステムは、様々な用途のシステムに利用可能である。このため、図３の表示端末２−１〜２−３では、個別のシステムの役割を果たすために必要な処理部の記載を割愛しており、本願発明に係る処理部だけを記載している。
ネットワークインタフェース２１は例えばＬＡＮカードからなるネットワーク接続機器である。
端末情報格納部２２は例えばＲＡＭやハードディスクなどの記憶装置から構成されており、表示端末固有のＭＡＣアドレスや、ルータ４により割り振られたＩＰアドレスなどを端末情報として格納している。
【００１９】
端末情報送信部２３は例えばＣＰＵを実装している半導体集積回路、あるいは、ワンチップマイコンなどから構成されており、ネットワークインタフェース２１を通じて、端末情報格納部２２により格納されている端末情報を所定のタイミングでサーバ１に送信する処理を実施する。
指令実行部２４は例えばＣＰＵを実装している半導体集積回路、あるいは、ワンチップマイコンなどから構成されており、ネットワークインタフェース２１がサーバ１の表示指令発行部１５から発行されたコンテンツの表示指令を受信すると、そのコンテンツをモニタ２５に表示する処理を実施する。
なお、ネットワークインタフェース２１、指令実行部２４及びモニタ２５からコンテンツ表示手段が構成されている。
【００２０】
端末名称選択受付部２６は例えばキーボード、マウス、タッチパネルやディスプレイなどのマンマシンインタフェースから構成されており、指令実行部２４により表示されたコンテンツが表している端末名称の一覧表の中から、任意の端末名称の選択を受け付ける処理を実施する。
選択結果送信部２７は例えばＣＰＵを実装している半導体集積回路、あるいは、ワンチップマイコンなどから構成されており、ネットワークインタフェース２１を通じて、端末名称選択受付部２６による端末名称の選択結果をサーバ１に送信する処理を実施する。
なお、ネットワークインタフェース２１、端末名称選択受付部２６及び選択結果送信部２７から端末名称選択受付手段が構成されている。
【００２１】
図３の例では、表示端末２−１〜２−３の構成要素であるネットワークインタフェース２１、端末情報格納部２２、端末情報送信部２３、指令実行部２４、モニタ２５、端末名称選択受付部２６及び選択結果送信部２７のそれぞれが専用のハードウェアで構成されているものを想定しているが、表示端末２−１〜２−３がコンピュータで構成されていてもよい。
表示端末２−１〜２−３がコンピュータで構成されている場合、端末情報格納部２２をコンピュータのメモリ上に構成するとともに、ネットワークインタフェース２１、端末情報送信部２３、指令実行部２４、モニタ２５、端末名称選択受付部２６及び選択結果送信部２７の処理内容を記述しているプログラムをコンピュータのメモリに格納し、当該コンピュータのＣＰＵが当該メモリに格納されているプログラムを実行するようにすればよい。
【００２２】
図４はサーバ１が端末名称の一覧表を表すコンテンツを生成する際の処理内容を示すフローチャートである。
図５はサーバ１が端末名称未登録の表示端末２の端末情報を示す未登録端末テーブルを生成する際の処理内容を示すフローチャートである。
図６はサーバ１が表示端末２と端末名称の対応関係を示す端末管理テーブルを生成する際の処理内容を示すフローチャートである。
【００２３】
次に動作について説明する。
この実施の形態１では、３台の表示端末２−１〜２−３がネットワーク３に接続される例を説明する。
３台の表示端末２−１〜２−３の端末名称（設置場所が関連付けられている端末名称）を設定する場合、例えば、ネットワークシステムの管理者などが、サーバ１の端末名称登録受付部１１を操作して、表示端末２−１〜２−３の端末名称を入力する（図４のステップＳＴ１）。
端末名称登録受付部１１は、ネットワークシステムの管理者などが表示端末２−１〜２−３の端末名称を入力すると、その端末名称の登録を受け付けて、その端末名称を示す端末名称情報をコンテンツ生成部１２及び端末管理部１３に出力する。
【００２４】
サーバ１のコンテンツ生成部１２は、端末名称登録受付部１１から端末名称情報を受けると、対応関係格納部１４に記憶されている端末名称テーブルに対して、その端末名称情報が示す端末名称を格納する（ステップＳＴ２）。
ここで、図７は端末名称テーブルの格納例を示す説明図である。
図７の例では、端末名称として、１階モニタ、２階モニタ、３階モニタが端末名称テーブルに格納されている。
なお、端末名称テーブルに格納する端末名称の個数は、ネットワーク３に接続される表示端末２−１〜２−３の個数に限るものではなく、それ以上に格納するようにしてもよい。
コンテンツ生成部１２は、端末名称を端末名称テーブルに格納すると、その端末名称の一覧表を表すコンテンツを生成する（ステップＳＴ３）。
なお、コンテンツは、端末名称の一覧表を表す画像データを意味し、表示端末２−１〜２−３が当該画像データにしたがって描画処理を実行することで、端末名称の一覧表がモニタ２５に表示される。
【００２５】
一方、表示端末２−１〜２−３の端末情報送信部２３は、ネットワークインタフェース２１を通じて、端末情報格納部２２により格納されている端末情報を所定のタイミングでサーバ１に送信する。
ここで、端末情報は、表示端末固有のＭＡＣアドレスや、ルータ４により割り振られたＩＰアドレスなどが該当する。
ただし、端末情報は、ＭＡＣアドレスやＩＰアドレスに限るものではなく、表示端末固有のシリアル番号、表示中のコンテンツを示すコンテンツ情報（コンテンツ情報は、コンテンツのＩＤ、名称、ＵＲＬなどが該当する）、表示端末の状態を示す情報、通信規格、コマンドセットのバージョンなどが該当する。
図８は端末情報の一例を示す説明図である。
なお、端末情報を送信する所定のタイミングであるが、定期的でもよいし、表示端末２の起動時でもよいし、状態変更時などのタイミングでもよい。
【００２６】
サーバ１のネットワークインタフェース１６は、表示端末２−１〜２−３が端末情報を送信すると、その端末情報を受信して、その端末情報を端末管理部１３に出力する（図５のステップＳＴ１１）。
サーバ１の端末管理部１３は、ネットワークインタフェース１６から端末情報を受けると、既に、その端末情報が、対応関係格納部１４に記憶されている未登録端末テーブル（端末名称未登録の表示端末２の端末情報を示すテーブル）、または、端末管理テーブル（表示端末２と端末名称の対応関係を示すテーブル）に登録されているか否かを判定する（ステップＳＴ１２）。
例えば、ネットワークインタフェース１６から出力された端末情報に含まれているＭＡＣアドレスと、未登録端末テーブル（端末管理テーブル）に登録されているＭＡＣアドレスとを照合することで、その端末情報が既に登録されているか否かを判定することができる。ただし、照合対象の端末情報はＭＡＣアドレスに限るものではなく、ＩＰアドレスやシリアル番号などを照合するようにしてもよい。
【００２７】
ここで、図９は未登録端末テーブルの一例を示す説明図である。
図９の例では、表示端末２−１〜２−３の端末情報として、ＭＡＣアドレスとＩＰアドレスを格納している。
図１０は端末管理テーブルの一例を示す説明図である。
図１０の例では、表示端末２−１〜２−３の端末情報として、ＭＡＣアドレスとＩＰアドレスを格納するとともに、その表示端末２−１〜２−３の端末名称などを格納している。
【００２８】
端末管理部１３は、ネットワークインタフェース１６から出力された端末情報が、未登録端末テーブル及び端末管理テーブルのいずれにも登録されていなければ、その端末情報を図９の未登録端末テーブルに登録する（ステップＳＴ１３）。
端末管理部１３は、端末情報を未登録端末テーブルに登録すると、新たな端末情報を未登録端末テーブルに登録した旨を表示指令発行部１５に通知する。
端末管理部１３は、ネットワークインタフェース１６から出力された端末情報が、未登録端末テーブル又は端末管理テーブルのいずれかに登録されている場合、その端末情報において、情報の追加部分、あるいは、情報の変更部分があれば、情報の追加部分、あるいは、情報の変更部分を未登録端末テーブル又は端末管理テーブルに追記する（ステップＳＴ１４）。
例えば、ＩＰアドレスは、一旦、ルータ４により割り当てられた後に変更されることがあるため、変更後のＩＰアドレスを未登録端末テーブル又は端末管理テーブルに上書きする。
また、当初は、端末情報として、例えば、ＭＡＣアドレスとＩＰアドレスを登録していたが、シリアル番号やコンテンツ情報などが追加された場合には、シリアル番号やコンテンツ情報などを追記する。
【００２９】
サーバ１の表示指令発行部１５は、端末管理部１３から新たな端末情報を未登録端末テーブルに登録した旨の通知を受けると、対応関係格納部１４に記憶されている未登録端末テーブルを参照して、新たな端末情報を取得する。
図９の例では、表示端末２−１〜２−３の端末情報が登録されているので、新たな端末情報として、表示端末２−１〜２−３の端末情報を取得する。
表示指令発行部１５は、表示端末２−１〜２−３の端末情報を取得すると、その端末情報を参照することで、表示端末２−１〜２−３に対して、コンテンツ生成部１２により生成されたコンテンツの表示指令を発行する（図６のステップＳＴ２１）。
【００３０】
表示端末２−１〜２−３のネットワークインタフェース２１は、サーバ１がコンテンツの表示指令を発行すると、コンテンツの表示指令を受信する（ステップＳＴ２２）。
表示端末２−１〜２−３の指令実行部２４は、ネットワークインタフェース２１がコンテンツの表示指令を受信すると、そのコンテンツ（端末名称の一覧表）をモニタ２５に表示する（ステップＳＴ２３）。
これにより、例えば、表示端末２−１〜２−３の設置担当者などは、設置場所が関連付けられている端末名称（例えば、１階モニタ、２階モニタ、３階モニタ）を確認することができる。
【００３１】
例えば、表示端末２−１〜２−３の設置担当者などが、端末名称選択受付部２６を操作して、端末名称の一覧表の中から、当該設置場所に見合う端末名称を選択すると、その選択が受け付けられて、その選択結果が選択結果送信部２７に出力される。
図７の例では、ビルの１階に設置される表示端末２−１の端末名称としては「１階モニタ」、ビルの２階に設置される表示端末２−２の端末名称としては「２階モニタ」、ビルの３階に設置される表示端末２−３の端末名称としては「３階モニタ」が選択されることが想定される。
表示端末２−１〜２−３の選択結果送信部２７は、端末名称選択受付部２６から端末名称の選択結果を受けると、ネットワークインタフェース２１を通じて、その端末名称の選択結果をサーバ１に送信する（ステップＳＴ２４）。
なお、この選択結果には、当該表示端末２の端末情報も含んでいるものとする。
【００３２】
サーバ１のネットワークインタフェース１６は、表示端末２−１〜２−３が端末名称の選択結果を送信すると、その選択結果を受信して、その選択結果を端末名称検知部１７に出力する。
サーバ１の端末名称検知部１７は、ネットワークインタフェース１６から端末名称の選択結果を受けると、その選択結果が示す端末名称と、その選択結果に含まれている端末情報とを端末管理部１３に通知する（ステップＳＴ２５）。
ここでは、ネットワークインタフェース１６が端末名称の選択結果を受信して、端末名称検知部１７がネットワークインタフェース１６により受信された選択結果が示す端末名称を端末管理部１３に通知する例を示したが、表示指令発行部１５が発行する表示指令のコンテンツがＷｅｂコンテンツである場合、端末名称検知部１７は、Ｗｅｂアプリケーション等によって、端末名称の選択結果を検知することが可能である。この場合、どの表示端末２が、端末名称の選択操作を行ったかも特定することができる。
【００３３】
サーバ１の端末管理部１３は、端末名称検知部１７から表示端末２−１〜２−３で選択された端末名称と端末情報を受けると、その端末情報と、対応関係格納部１４に記憶されている未登録端末テーブル（図９の未登録端末テーブル）内の端末情報とを照合して（例えば、ＭＡＣアドレスや、ＩＰアドレスを照合する）、未登録端末テーブル内で一致している端末情報を特定する。
端末管理部１３は、未登録端末テーブル内で一致している端末情報を特定すると、その端末情報を端末管理テーブルに転記して、未登録端末テーブル内から当該端末情報を削除する。これにより、図９の未登録端末テーブルに登録されている端末情報は空になる。
【００３４】
また、端末管理部１３は、端末管理テーブル内で、その端末情報と対にして、端末名称検知部１７から出力された端末名称を追記するとともに、図７の端末名称テーブルから当該端末名称を削除する（ステップＳＴ２６）。これにより、図７の端末名称テーブルに格納されている端末名称は空になる。
図１０の例では、表示端末２−１の端末情報と端末名称である「１階モニタ」が対応付けられ、表示端末２−２の端末情報と端末名称である「２階モニタ」が対応付けられ、表示端末２−３の端末情報と端末名称である「３階モニタ」が対応付けられている。
これにより、表示端末２−１〜２−３の端末名称の設定処理が完了し、サーバ１において、表示端末２−１〜２−３と端末名称の対応関係を管理することが可能になる。
【００３５】
この実施の形態１では、表示指令発行部１５が、表示端末２−１〜２−３に対して、コンテンツの表示指令を発行することで、３台の表示端末２−１〜２−３の端末名称を同時に設定する例を示したが、１台の表示端末２毎に、コンテンツの表示指令を順番に発行して、当該表示端末２の端末名称を設定するようにしてもよい。
この場合、１台の表示端末２の端末名称の設定処理が完了する毎に、その端末名称が削除された端末名称テーブル（最新の端末名称テーブル）を参照して、コンテンツを再生成し、次の設定対象の表示端末２に対して、そのコンテンツの表示指令を発行する必要がある。
【００３６】
以上で明らかなように、この実施の形態１によれば、ネットワーク３に接続されている表示端末２−１〜２−３と端末名称登録受付部１１により登録が受け付けられた設置場所が関連付けられている端末名称との対応関係を管理する端末管理部１３と、端末管理部１３により管理されている対応関係を参照して、ネットワーク３に接続されている表示端末２−１〜２−３の中で、未だ端末名称が選択されていない表示端末２を特定し、その表示端末２に対して、コンテンツ生成部１２により生成されたコンテンツの表示指令を発行する表示指令発行部１５とを設け、端末名称検知部１７が、表示指令発行部１５によりコンテンツの表示指令が発行された表示端末２で選択された端末名称を検知して、その端末名称を端末管理部１３に通知するように構成したので、例えば、表示端末２−１〜２−３の設置担当者などが、面倒な設定操作を行うことなく、サーバ１側で、ネットワーク３に接続されている表示端末２−１〜２−３の設置場所を把握することができる効果を奏する。
【００３７】
なお、多数の表示端末２を設置する場合であっても、各々の表示端末２での設定操作は同一でよく、表示端末２を出荷する前に、各種の設定や、設置先（顧客）毎の特別な設定を行う必要がないため、同一の設定で量産することが可能である。したがって、設置コストや製造コストを低減することが可能である。
【００３８】
この実施の形態１では、モニタが一体化されている表示端末２−１〜２−３について示したが、図１１に示すように、表示端末２は、必ずしもモニタが一体化されている端末に限るものではない。
図１１において、５は表示端末専用のセットトップボックス （ＳＴＢ：Ｓｅｔ  Ｔｏｐ  Ｂｏｘ）であり、ＳＴＢ５は映像ケーブル７を介してモニタ６と接続されている。
なお、ＳＴＢ５、モニタ６及び映像ケーブル７から表示端末２が構成されており、ＳＴＢ５は、ＳＴＢの一般的な機能を実現する処理部の他に、図３のネットワークインタフェース２１、端末情報格納部２２、端末情報送信部２３、指令実行部２４、端末名称選択受付部２６及び選択結果送信部２７に相当する処理部を備えている。
【００３９】
８はパーソナルコンピュータであり、パーソナルコンピュータ８は映像ケーブル７を介してモニタ６と接続されている。
なお、パーソナルコンピュータ８、モニタ６及び映像ケーブル７から表示端末２が構成されており、パーソナルコンピュータ８は、パーソナルコンピュータの一般的な機能を実現する処理部の他に、図３のネットワークインタフェース２１、端末情報格納部２２、端末情報送信部２３、指令実行部２４、端末名称選択受付部２６及び選択結果送信部２７に相当する処理部を備えている。
また、表示端末２には、ＳＴＢ５やパーソナルコンピュータ８の他に、制御機能を持ったボードも含まれる。制御機能を持ったボードは、ＳＴＢ５に内包されることもあるし、表示端末２のモニタ２５に内包される場合もある。モニタ２５に制御ボードが内包される代表的な例は液晶テレビである。
【００４０】
実施の形態２．
上記実施の形態１では、端末名称を設定する対象が表示端末２−１〜２−３であるものを示したが、端末名称を設定する対象が、モニタを備えていない端末（例えば、エアコンや冷蔵庫などの家電機器）であってもよい。
この実施の形態２では、端末名称を設定する対象が、モニタを備えていない端末について説明するが、エアコンや冷蔵庫などの家電機器であっても、小さな液晶モニタが取り付けられている場合には、上記実施の形態１で示した方法で、端末名称を設定することができる。
【００４１】
図１２はこの発明の実施の形態２によるネットワークシステムを示す構成図であり、図１２において、図１と同一符号は同一または相当部分を示すので説明を省略する。
図１２のネットワークシステムでは、３階建のビルの各階にエアコン３２−１〜３２−３（モニタを備えていない端末）が設置され、１階に設置されているサーバ３１がネットワーク３を通じてエアコン３２−１〜３２−３と接続されている例を示している。
サーバ３１はネットワーク３に接続されているエアコン３２−１〜３２−３の端末名称や設置場所を管理し、例えば、エアコン３２−１〜３２−３に対して、各種の制御信号を送信するなどの処理を実施する装置である。
【００４２】
エアコン３２−１〜３２−３は例えばサーバ３１から送信された制御信号にしたがって所定の処理（例えば、風量の増減、設定温度の上下）を実施する一方、ユーザの操作を受け付けて、その操作内容をサーバ３１に通知するなどの処理を実施する。
ここでは、ネットワーク３に接続されているエアコン３２−１〜３２−３の台数が３台である例を示しているが、これは一例に過ぎず、４台以上のエアコン３２−１〜３２−３がネットワーク３に接続されていてもよい。また、エアコン３２と異なる種類の家電機器（モニタを備えていない端末）が混在していてもよい。
【００４３】
図１３はこの発明の実施の形態２によるネットワークシステムに適用されるサーバ３１を示す構成図である。
図１２のネットワークシステムは、様々な用途のシステムに利用可能である。このため、図１３のサーバ３１では、個別のシステムの役割を果たすために必要な処理部の記載を割愛しており、本願発明に係る処理部だけを記載している。
図１３において、端末名称操作登録受付部４１は例えばキーボード、マウス、タッチパネルやディスプレイなどのマンマシンインタフェースなどから構成されており、設置場所が関連付けられている端末名称（例えば、１階モニタ、２階モニタ、３階モニタ）の登録を受け付けるとともに、その端末名称に対応する操作（エアコン３２−１〜３２−３において、予め設定されている操作）の登録を受け付ける処理を実施する。なお、端末名称操作登録受付部４１は端末名称操作登録受付手段を構成している。
【００４４】
端末管理部４２は例えばＣＰＵを実装している半導体集積回路、あるいは、ワンチップマイコンなどから構成されており、ネットワーク３に接続されているエアコン３２−１〜３２−３と端末名称操作登録受付部４１により登録が受け付けられた端末名称との対応関係を管理する処理を実施する。
対応関係格納部４３は例えばＲＡＭやハードディスクなどの記憶装置から構成されており、端末管理部４２により管理されているエアコン３２−１〜３２−３と端末名称の対応関係を示すテーブルなど、各種のテーブルを記憶している。
なお、端末管理部４２及び対応関係格納部４３から端末管理手段が構成されている。
【００４５】
選択指令発行部４４は例えばＣＰＵを実装している半導体集積回路、あるいは、ワンチップマイコンなどから構成されており、対応関係格納部４３により格納されている対応関係を示すテーブルを参照して、ネットワーク３に接続されているエアコン３２−１〜３２−３の中で、未だ端末名称が選択されていないエアコン３２を特定し、そのエアコン３２に対して、端末名称の選択指令を発行する処理を実施する。
ネットワークインタフェース４５は例えばＬＡＮカードなどのネットワーク接続機器から構成されており、選択指令発行部４４により発行された端末名称の選択指令をネットワーク３を通じて当該エアコン３２に通知する処理を実施する。
なお、選択指令発行部４４及びネットワークインタフェース４５から選択指令発行手段が構成されている。
【００４６】
端末操作検知部４６は例えばＣＰＵを実装している半導体集積回路、あるいは、ワンチップマイコンなどから構成されており、ネットワークインタフェース４５を通じて、選択指令発行部４４により端末名称の選択指令が発行されたエアコン３２で行われた操作を検知し、その操作が端末名称操作登録受付部４１により登録が受け付けられている操作であれば、その操作に対応する端末名称を端末管理部４２に通知する処理を実施する。
なお、端末操作検知部４６及びネットワークインタフェース４５から端末操作検知手段が構成されている。
【００４７】
図１３の例では、サーバ３１の構成要素である端末名称操作登録受付部４１、端末管理部４２、対応関係格納部４３、選択指令発行部４４、ネットワークインタフェース４５及び端末操作検知部４６のそれぞれが専用のハードウェアで構成されているものを想定しているが、サーバ３１がコンピュータで構成されていてもよい。
サーバ３１がコンピュータで構成されている場合、対応関係格納部４３をコンピュータのメモリ上に構成するとともに、端末名称操作登録受付部４１、端末管理部４２、選択指令発行部４４、ネットワークインタフェース４５及び端末操作検知部４６の処理内容を記述しているプログラムをコンピュータのメモリに格納し、当該コンピュータのＣＰＵが当該メモリに格納されているプログラムを実行するようにすればよい。
【００４８】
図１４はこの発明の実施の形態２によるネットワークシステムに適用されるエアコン３２−１〜３２−３を示す構成図であり、図１４において、図３と同一符号は同一または相当部分を示すので説明を省略する。
図１２のネットワークシステムは、様々な用途のシステムに利用可能である。このため、図１４のエアコン３２−１〜３２−３では、個別のシステムの役割を果たすために必要な処理部の記載を割愛しており、本願発明に係る処理部だけを記載している。
【００４９】
指令実行部５１は例えばＣＰＵを実装している半導体集積回路、あるいは、ワンチップマイコンなどから構成されており、ネットワークインタフェース２１がサーバ３１の選択指令発行部４４から発行された端末名称の選択指令を受信すると、エアコン３２−１〜３２−３の処理モードを通常の温度制御処理から、端末名称の選択処理に切り換える処理を実施する。
端末操作選択受付部５２は例えばキーボード、マウス、タッチパネルやディスプレイなどのマンマシンインタフェースから構成されており、指令実行部５１により処理モードが端末名称の選択処理に切り換えられると、予め設定されている複数の操作（サーバ３１の端末名称操作登録受付部４１により登録が受け付けられる操作）の中から、任意の操作の選択を受け付ける処理を実施する。
【００５０】
選択結果送信部５３は例えばＣＰＵを実装している半導体集積回路、あるいは、ワンチップマイコンなどから構成されており、ネットワークインタフェース２１を通じて、端末操作選択受付部５２による操作の選択結果をサーバ３１に送信する処理を実施する。
なお、ネットワークインタフェース２１、指令実行部５１、端末操作選択受付部５２及び選択結果送信部５３から操作選択受付手段が構成されている。
【００５１】
図１４の例では、エアコン３２−１〜３２−３の構成要素であるネットワークインタフェース２１、端末情報格納部２２、端末情報送信部２３、指令実行部５１、端末操作選択受付部５２及び選択結果送信部５３のそれぞれが専用のハードウェアで構成されているものを想定しているが、エアコン３２−１〜３２−３の処理部がコンピュータで構成されていてもよい。
エアコン３２−１〜３２−３の処理部がコンピュータで構成されている場合、端末情報格納部２２をコンピュータのメモリ上に構成するとともに、ネットワークインタフェース２１、端末情報送信部２３、指令実行部５１、端末操作選択受付部５２及び選択結果送信部５３の処理内容を記述しているプログラムをコンピュータのメモリに格納し、当該コンピュータのＣＰＵが当該メモリに格納されているプログラムを実行するようにすればよい。
【００５２】
次に動作について説明する。
図１５はサーバ３１が端末名称未登録のエアコン３２の端末情報を示す未登録端末テーブルを生成する際の処理内容を示すフローチャートである。
図１６はサーバ３１がエアコン３２と端末名称の対応関係を示す端末管理テーブルを生成する際の処理内容を示すフローチャートである。
この実施の形態１では、３台のエアコン３２−１〜３２−３がネットワーク３に接続される例を説明する。
３台のエアコン３２−１〜３２−３の端末名称（設置場所が関連付けられている端末名称）を設定する場合、例えば、ネットワークシステムの管理者などが、サーバ３１の端末名称操作登録受付部４１を操作して、エアコン３２−１〜３２−３の端末名称を入力する。
例えば、設置場所が関連付けられている端末名称として、１階エアコン、２階エアコン、３階エアコンのほか、リビングエアコン、寝室エアコン、浴室エアコンなどが考えられる。
【００５３】
また、ネットワークシステムの管理者などが、サーバ３１の端末名称操作登録受付部４１を操作して、その端末名称に対応する操作（エアコン３２−１〜３２−３において、予め設定されている操作）を入力する。
端末名称に対応する操作であるが、例えば、１階エアコンに対応する操作として「設定温度を最大にする操作」、２階エアコンに対応する操作として「設定温度を最小にする操作」、３階エアコンに対応する操作として「風量を最大にする操作」などが考えられる。
なお、これらの操作と端末名称の関係は、予め、エアコン３２−１〜３２−３の出荷前に設定されており、その関係は、例えば、エアコン３２−１〜３２−３の取扱説明書や、簡単な設置マニュアル等に記述されているものとする。
【００５４】
端末名称登録受付部１１は、ネットワークシステムの管理者などがエアコン３２−１〜３２−３の端末名称と、その端末名称に対応する操作とを入力すると、その端末名称と操作の登録を受け付けて、その端末名称と操作を端末名称テーブルに格納する。
ここで、図１７は端末名称テーブルの格納例を示す説明図である。
なお、端末名称テーブルに格納する端末名称の個数は、ネットワーク３に接続されるエアコン３２−１〜３２−３の個数に限るものではなく、それ以上に格納するようにしてもよい。
【００５５】
一方、エアコン３２−１〜３２−３の端末情報送信部２３は、上記実施の形態１における表示端末２−１〜２−３の端末情報送信部２３と同様に、ネットワークインタフェース２１を通じて、端末情報格納部２２により格納されている端末情報を所定のタイミングでサーバ３１に送信する。
サーバ３１のネットワークインタフェース４５は、エアコン３２−１〜３２−３が端末情報を送信すると、その端末情報を受信して、その端末情報を端末管理部４２に出力する（図１５のステップＳＴ３１）。
【００５６】
サーバ３１の端末管理部４２は、ネットワークインタフェース４５から端末情報を受けると、既に、その端末情報が、対応関係格納部４３に記憶されている未登録端末テーブル（端末名称未登録のエアコン３２の端末情報を示すテーブル）、または、端末管理テーブル（エアコン３２と端末名称の対応関係を示すテーブル）に登録されているか否かを判定する（ステップＳＴ３２）。未登録端末テーブルは、上記実施の形態１と同様に、図９のようなテーブルであるため説明を省略する。
図１８は端末管理テーブルの一例を示す説明図である。
図１８の例では、エアコン３２−１〜３２−３の端末情報として、ＭＡＣアドレスとＩＰアドレスを格納するとともに、そのエアコン３２−１〜３２−３の端末名称などを格納している。
【００５７】
端末管理部４２は、ネットワークインタフェース４５から出力された端末情報が、未登録端末テーブル及び端末管理テーブルのいずれにも登録されていなければ、その端末情報を図９の未登録端末テーブルに登録する（ステップＳＴ３３）。
端末管理部４２は、端末情報を未登録端末テーブルに登録すると、新たな端末情報を未登録端末テーブルに登録した旨を選択指令発行部４４に通知する。
端末管理部４２は、ネットワークインタフェース４５から出力された端末情報が、未登録端末テーブル又は端末管理テーブルのいずれかに登録されている場合、その端末情報において、情報の追加部分、あるいは、情報の変更部分があれば、情報の追加部分、あるいは、情報の変更部分を未登録端末テーブル又は端末管理テーブルに追記する（ステップＳＴ３４）。
【００５８】
サーバ３１の選択指令発行部４４は、端末管理部４２から新たな端末情報を未登録端末テーブルに登録した旨の通知を受けると、対応関係格納部４３に記憶されている未登録端末テーブルを参照して、新たな端末情報を取得する。
図９の例では、エアコン３２−１〜３２−３の端末情報が登録されているので、新たな端末情報として、エアコン３２−１〜３２−３の端末情報を取得する。
選択指令発行部４４は、エアコン３２−１〜３２−３の端末情報を取得すると、その端末情報を参照することで、エアコン３２−１〜３２−３に対して、端末名称の選択指令を発行する（図１６のステップＳＴ４１）。
【００５９】
エアコン３２−１〜３２−３のネットワークインタフェース２１は、サーバ３１が端末名称の選択指令を発行すると、その選択指令を受信する（ステップＳＴ４２）。
エアコン３２−１〜３２−３の指令実行部５１は、ネットワークインタフェース２１が端末名称の選択指令を受信すると、エアコン３２−１〜３２−３の処理モードを通常の温度制御処理から、端末名称の選択処理に切り換える（ステップＳＴ４３）。
このとき、エアコン３２−１〜３２−３において、処理モードが端末名称の選択処理に切り換えられた旨を示すＬＥＤを点灯するようにしてもよいし、その旨を示す音声メッセージを出力するようにしてもよい。
【００６０】
例えば、エアコン３２−１〜３２−３の設置担当者などが、端末操作選択受付部５２を操作して、予め設定されている複数の操作（サーバ３１の端末名称操作登録受付部４１により登録が受け付けられる操作）の中から、当該設置場所に見合う操作を選択（当該操作を実行）すると、その選択が受け付けられて、その選択結果が選択結果送信部５３に出力される。
図１７のように、端末名称と操作が対応付けられている場合、ビルの１階に設置されるエアコン３２−１では「設定温度を最大にする操作」、ビルの２階に設置されるエアコン３２−２では「設定温度を最小にする操作」、ビルの３階に設置されるエアコン３２−３では「風量を最大にする操作」が選択されることが想定される。
エアコン３２−１〜３２−３の選択結果送信部５３は、端末操作選択受付部５２から操作の選択択結果を受けると、ネットワークインタフェース２１を通じて、その操作の選択結果をサーバ３１に送信する（ステップＳＴ４４）。
なお、この選択結果には、当該エアコン３２の端末情報も含んでいるものとする。
【００６１】
サーバ３１のネットワークインタフェース４５は、エアコン３２−１〜３２−３が操作の選択結果を送信すると、その選択結果を受信して、その選択結果を端末操作検知部４６に出力する。
サーバ３１の端末操作検知部４６は、ネットワークインタフェース４５から操作の選択結果を受けると、図１７の端末名称テーブルを参照して、その選択結果が示す操作が端末名称操作登録受付部４１により登録が受け付けられている操作であるか否かを確認し、その選択結果が示す操作が端末名称操作登録受付部４１により登録が受け付けられている操作であれば、その操作に対応する端末名称と、その選択結果に含まれている端末情報とを端末管理部４２に通知する（ステップＳＴ４５）。
【００６２】
サーバ３１の端末管理部４２は、端末操作検知部４６から端末名称と端末情報を受けると、その端末情報と、対応関係格納部４２に記憶されている未登録端末テーブル（図９の未登録端末テーブル）内の端末情報とを照合して（例えば、ＭＡＣアドレスや、ＩＰアドレスを照合する）、未登録端末テーブル内で一致している端末情報を特定する。
端末管理部４２は、未登録端末テーブル内で一致している端末情報を特定すると、その端末情報を端末管理テーブルに転記して、未登録端末テーブル内から当該端末情報を削除する。これにより、図９の未登録端末テーブルに登録されている端末情報は空になる。
【００６３】
また、端末管理部４２は、端末管理テーブル内で、その端末情報と対にして、端末操作検知部４６から出力された端末名称を追記するとともに、図１７の端末名称テーブルから当該端末名称と操作を削除する（ステップＳＴ４６）。これにより、図１７の端末名称テーブルに格納されている端末名称と操作は空になる。
図１８の例では、エアコン３２−１の端末情報と端末名称である「１階エアコン」が対応付けられ、エアコン３２−２の端末情報と端末名称である「２階エアコン」が対応付けられ、エアコン３２−３の端末情報と端末名称である「３階エアコン」が対応付けられている。
これにより、エアコン３２−１〜３２−３の端末名称の設定処理が完了し、サーバ３１において、エアコン３２−１〜３２−３と端末名称の対応関係を管理することが可能になる。
【００６４】
この実施の形態２では、選択指令発行部４４が、エアコン３２−１〜３２−３に対して、端末名称の選択指令を発行することで、３台のエアコン３２−１〜３２−３の端末名称を同時に設定する例を示したが、１台のエアコン３２毎に、端末名称の選択指令を順番に発行して、当該エアコン３２の端末名称を設定するようにしてもよい。
この場合、１台のエアコン３２の端末名称の設定処理が完了する毎に、その端末名称が削除された端末名称テーブル（最新の端末名称テーブル）を参照しながら、次の設定対象のエアコン３２に対して、その端末名称の選択指令を発行する必要がある。
【００６５】
以上で明らかなように、この実施の形態２によれば、ネットワーク３に接続されているエアコン３２−１〜３２−３と端末名称操作登録受付部４１により登録が受け付けられた設置場所が関連付けられている端末名称との対応関係を管理する端末管理部４２と、端末管理部４２により管理されている対応関係を参照して、ネットワーク３に接続されているエアコン３２−１〜３２−３の中で、未だ端末名称が選択されていないエアコン３２を特定し、そのエアコン３２に対して、端末名称の選択指令を発行する選択指令発行部４４とを設け、端末操作検知部４６が、選択指令発行部４４により端末名称の選択指令が発行されたエアコン３２で行われた操作を検知し、その操作が端末名称操作登録受付部４１により登録が受け付けられている操作であれば、その操作に対応する端末名称と端末情報を端末管理部４２に通知するように構成したので、エアコン３２−１〜３２−３がモニタを備えていない端末であっても、例えば、エアコン３２−１〜３２−３の設置担当者などが、面倒な設定操作を行うことなく、サーバ３１側で、ネットワーク３に接続されているエアコン３２−１〜３２−３の設置場所を把握することができる効果を奏する。
【００６６】
この実施の形態２では、端末名称を設定する対象が、モニタを備えていないエアコン３２−１〜３２−３である例を示したが、モニタを備えている端末と、モニタを備えていない端末とがネットワーク３に接続されていてもよい。
この場合、図１９に示すように、端末名称テーブルにおいて、モニタを備えている端末である表示端末２−１〜２−３の設定操作を「画面操作」とし、表示端末２−１〜２−３の端末名称を設定する場合、図１９の端末名称テーブルを参照して、表示端末２−１〜２−３の設定操作が「画面操作」であることを確認すると、上記実施の形態１と同様に、コンテンツの表示指令を発行するようにして、表示端末２−１〜２−３の端末名称を設定すればよい。
一方、モニタを備えていないエアコン３２−１〜３２−３の端末名称を設定する場合、図１９の端末名称テーブルを参照して、エアコン３２−１〜３２−３の設定操作が「画面操作」以外の操作であることを確認すると、この実施の形態２のように、端末名称の選択指令を発行するようにして、エアコン３２−１〜３２−３の端末名称を設定すればよい。
【００６７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６８】
１  サーバ、２−１〜２−３  表示端末、３  ネットワーク、４  ルータ、５  ＳＴＢ、６  モニタ、７  映像ケーブル、８  パーソナルコンピュータ、１１  端末名称登録受付部（端末名称登録受付手段）、１２  コンテンツ生成部（コンテンツ生成手段）、１３  端末管理部（端末管理手段）、１４  対応関係格納部（端末管理手段）、１５  表示指令発行部（表示指令発行手段）、１６  ネットワークインタフェース（表示指令発行手段、端末名称検知手段）、１７  端末名称検知部（端末名称検知手段）、２１  ネットワークインタフェース（コンテンツ表示手段、端末名称選択受付手段、操作選択受付手段）、２２  端末情報格納部、２３  端末情報送信部、２４  指令実行部（コンテンツ表示手段）、２５  モニタ（コンテンツ表示手段）、２６  端末名称選択受付部（端末名称選択受付手段）、２７  選択結果送信部（端末名称選択受付手段）、３１  サーバ、３２−１〜３２−３  エアコン（端末）、４１  端末名称操作登録受付部（端末名称操作登録受付手段）、４２  端末管理部（端末管理手段）、４３  対応関係格納部（端末管理手段）、４４  選択指令発行部（選択指令発行手段）、４５  ネットワークインタフェース（選択指令発行手段、端末操作検知手段）、４６  端末操作検知部（端末操作検知手段）、５１  指令実行部（操作選択受付手段）、５２  端末操作選択受付部（操作選択受付手段）、５３  選択結果送信部（操作選択受付手段）。
【図１】
2014138243.tif 000003
【図２】
2014138243.tif 000004
【図３】
2014138243.tif 000005
【図４】
2014138243.tif 000006
【図５】
2014138243.tif 000007
【図６】
2014138243.tif 000008
【図７】
2014138243.tif 000009
【図８】
2014138243.tif 000010
【図９】
2014138243.tif 000011
【図１０】
2014138243.tif 000012
【図１１】
2014138243.tif 000013
【図１２】
2014138243.tif 000014
【図１３】
2014138243.tif 000015
【図１４】
2014138243.tif 000016
【図１５】
2014138243.tif 000017
【図１６】
2014138243.tif 000018
【図１７】
2014138243.tif 000019
【図１８】
2014138243.tif 000020
【図１９】
2014138243.tif 000021